(57)【特許請求の範囲】
【請求項１】
装置本体の上方に配置され、原稿の画像を読み取る画像読取部と、
前記画像読取部の下方に配置され、搬送されてくるシートに画像形成を行う画像形成部と、
長尺のシートが巻回されてなるシートロールから該シートを前記画像形成部に向けて繰り出す繰り出し方向と直交するシート幅方向における該シートロールの両端部に装着される一対のフランジ部材と、
前記画像読取部の下方かつ前記装置本体の後方に配置され、長尺のシートが巻回されてなるシートロールから該シートを前記画像形成部に向けて繰り出し可能に支持するシートロール支持部と、
を有する画像形成装置において、
前記フランジ部材装着済みのシートロールを前記シートロール支持部に挿通・セットするための開口部が、前記画像読取部と前記画像形成部との間における前記装置本体の前面側に形成され、
前記フランジ部材装着済みのシートロールにおける少なくとも一方の前記フランジ部材を前記シート幅方向に位置決め規制し、かつ、前記フランジ部材装着済みのシートロールを前記シートロール支持部に案内する位置決め案内手段を、前記開口部における前記装置本体の上下に具備することを特徴とする画像形成装置。
【請求項２】
請求項１記載の画像形成装置において、
前記位置決め案内手段は、前記フランジ部材装着済みのシートロールの前記シートロール支持部へのセット方向に略連続して具備されていることを特徴とする画像形成装置。
【請求項３】
請求項１または２記載の画像形成装置において、
前記位置決め案内手段の位置決め形状は、前記装置本体側が凸形状であるとき、前記フランジ部材側が前記凸形状と係合する凹形状、または前記フランジ部材を挟み込む形状であることを特徴とする画像形成装置。
【請求項４】
請求項１または２記載の画像形成装置において、
前記位置決め案内手段の位置決め形状は、前記装置本体側が凹形状であるとき、前記フランジ部材側が前記凹形状と係合する凸形状、または前記フランジ部材を嵌め込む形状であることを特徴とする画像形成装置。
【請求項５】
請求項１ないし４の何れか一つに記載の画像形成装置において、
前記位置決め案内手段が、前記装置本体に着脱可能な外装部品に具備されていることを特徴とする画像形成装置。
【請求項６】
請求項１ないし５の何れか一つに記載の画像形成装置において、
前記画像形成装置は、前記シートロールから繰り出されるシートの搬送が片側基準で搬送されるよう構成されており、
前記フランジ部材装着済みのシートロールにおける前記少なくとも一方の前記フランジ部材は、前記位置決め案内手段によって前記シート幅方向に位置が不変な基準位置に位置決めされることを特徴とする画像形成装置。
【請求項７】
請求項１ないし６の何れか一つに記載の画像形成装置において、
前記画像形成部には、前記シート幅方向に移動可能なキャリッジが設けられており、
前記位置決め案内手段は、前記開口部から前記シートロール支持部に向かうにつれて下方に傾斜する傾斜面部に形成されており、
前記画像読取部が、前記キャリッジよりも前記装置本体の後方に配置され、かつ、前記画像読取部に配設されている画像読取手段が、前記傾斜面部の上方に配置されていることを特徴とする画像形成装置。
【請求項８】
請求項１ないし７の何れか一つに記載の画像形成装置において、
前記画像読取部には、原稿を載置する原稿台が前記装置本体の前面側に配置されており、
前記原稿台の前端部は、前記画像形成部における前記装置本体の前面よりも該装置本体の後方に形成されており、
前記原稿台の前端部と前記画像形成部における前記装置本体の上面との間であって、前記位置決め案内手段の形成部よりも前記装置本体の前面寄りの前記画像形成部における前記装置本体の上面には、前記フランジ部材装着済みのシートロールの該各フランジ部材を一時的に載置する一時載置部が形成されていることを特徴とする画像形成装置。
【発明の詳細な説明】
【技術分野】
【０００１】
本発明は、ロール紙から用紙を繰り出しこれに画像形成を行う画像形成装置に関し、詳しくは、インクジェット記録、電子写真方式、印刷等による画像形成等またはそれら複数の機能の組み合わせを含んで構成される画像形成部および画像読取部を備えた画像形成装置において、一対のフランジ部材を介してロール紙をロール紙支持部にセットする際の視認性および操作性を向上した技術に関する。
【背景技術】
【０００２】
長尺の用紙が巻回されてなるロール紙から用紙を繰り出し画像形成部に向けて搬送して画像形成を行う画像形成装置が周知である（例えば、特許文献１および２参照）。この種の画像形成装置としては、例えば大型の図面用の、複写機やプリンタ、プロッタ、画像形成装置などが挙げられる。
【発明の概要】
【発明が解決しようとする課題】
【０００３】
特許文献１等に開示されている広幅インクジェットプリンタにおいて、長尺の用紙が巻回されてなるロール紙を支持するロール紙セット部を装置本体の後方上部に配置し、装置本体の前方に画像形成済みの用紙を直線的に排紙するレイアウトを採用したインクジェットプリンタは、下記理由からよく採用される。
【０００４】
すなわち、第１に、排紙された紙の取りやすさ、排紙状況の視認性、排紙用のスタッカや自動巻取り装置などの周辺機接続などを考慮して、排紙を手前にしたい点からである。
第２に、搬送パス短縮により、コストダウンを図る点からである。
第３に、キャリッジ周辺におけるジャム発生時の作業視野の確保および作業空間の拡大により、作業性向上を図る点からである。
第４に、ロール紙のセット、排出された紙の取り出しが装置前面から行えることによる作業性向上を図る点からである。
【０００５】
また、昨今では市場のニーズを受け、広幅インクジェットプリンタの上に画像読取部を載せた複合機が発売されている。このような広幅インクジェットプリンタの場合、画像読取部を載置・保持するためのスタンド等を利用し、スタンドの内側に既に市場で実績のある広幅インクジェットプリンタを収容して配置する機種がほとんどである。
こういう機種での課題は、特許文献１のプリンタでは上方に障害物がなく問題なかった「マシン上方からのロール紙へのアクセス」ができなくなってしまうことにある。
【０００６】
また、ロール紙セット部がプリンタ上部にあるプリンタを、上記スタンドの内側に収容した場合、プリンタが配置された装置本体を、例えばスタンドから手前に引き出すなどして移動させないと、ロール紙セット部にセットされたロール紙の最終のセット位置が装置本体の前面（正面）側から見えないため、最終セット位置の視認性が悪化してしまう。つまり、最終的にロール紙をセットする位置が判らないため、ユーザは例えばしゃがんで装置本体奥のロール紙の最終セット位置を覗き込み、ロール紙を挿入する必要がある。
【０００７】
そこで、本発明は、上述した事情に鑑みてなされたものであり、装置本体の上方に配置された画像読取部と、該画像読取部の下方に配置された画像形成部と、画像読取部の下方かつ装置本体の後方に配置されたロール紙支持部とを有する画像形成装置において、画像読取部と画像形成部との間の装置本体の前面側に、ロール紙を着脱する開口部を設けるとともに、ロール紙の両端部に装着される少なくとも一つのフランジ部材と係合ないし嵌合してシート幅方向に位置決め・規制する位置決め案内手段を前記開口部の上下に設けることにより、視認性に優れるとともにロール紙のセット性を向上できる画像形成装置を提供することを主な目的とする。
【課題を解決するための手段】
【０００８】
上述した課題を解決するとともに上述した目的を達成するために、請求項ごとの発明では、以下のような特徴ある手段・発明特定事項（以下、「構成」という）を採っている。
請求項１記載の発明は、装置本体の上方に配置され、原稿の画像を読み取る画像読取部と、前記画像読取部の下方に配置され、搬送されてくるシートに画像形成を行う画像形成部と、長尺のシートが巻回されてなるシートロールから該シートを前記画像形成部に向けて繰り出す繰り出し方向と直交するシート幅方向における該シートロールの両端部に装着される一対のフランジ部材と、前記画像読取部の下方かつ前記装置本体の後方に配置され、長尺のシートが巻回されてなるシートロールから該シートを前記画像形成部に向けて繰り出し可能に支持するシートロール支持部とを有する画像形成装置において、前記フランジ部材装着済みのシートロールを前記シートロール支持部に挿通・セットするための開口部が、前記画像読取部と前記画像形成部との間における前記装置本体の前面側に形成され、前記フランジ部材装着済みのシートロールにおける少なくとも一方の前記フランジ部材を前記シート幅方向に位置決め・規制し、かつ、前記フランジ部材装着済みのシートロールを前記シートロール支持部に案内する位置決め案内手段を、前記開口部における前記装置本体の上下に具備することを特徴とする。
【０００９】
請求項２記載の発明は、請求項１記載の画像形成装置において、前記位置決め案内手段は、前記フランジ部材装着済みのシートロールの前記シートロール支持部へのセット方向に略連続して具備されていることを特徴とする。
【００１０】
請求項３記載の発明は、請求項１または２記載の画像形成装置において、前記位置決め案内手段の位置決め形状は、前記装置本体側が凸形状であるとき、前記フランジ部材側が前記凸形状と係合する凹形状、または前記フランジ部材を挟み込む形状であることを特徴とする。
【００１１】
請求項４記載の発明は、請求項１または２記載の画像形成装置において、前記位置決め案内手段の位置決め形状は、前記装置本体側が凹形状であるとき、前記フランジ部材側が前記凹形状と係合する凸形状、または前記フランジ部材を嵌め込む形状であることを特徴とする。
【００１２】
請求項５記載の発明は、請求項１ないし４の何れか一つに記載の画像形成装置において、前記位置決め案内手段が、前記装置本体に着脱可能な外装部品に具備されていることを特徴とする。
【００１３】
請求項６記載の発明は、請求項１ないし５の何れか一つに記載の画像形成装置において、前記画像形成装置は、前記シートロールから繰り出されるシートの搬送が片側基準で搬送されるよう構成されており、前記フランジ部材装着済みのシートロールにおける前記少なくとも一方の前記フランジ部材は、前記位置決め案内手段によって前記シート幅方向に位置が不変な基準位置に位置決めされることを特徴とする。
【００１４】
請求項７記載の発明は、請求項１ないし６の何れか一つに記載の画像形成装置において、前記画像形成部には、前記シート幅方向に移動可能なキャリッジが設けられており、前記位置決め案内手段は、前記開口部から前記シートロール支持部に向かうにつれて下方に傾斜する傾斜面部に形成されており、前記画像読取部が、前記キャリッジよりも前記装置本体の後方に配置され、かつ、前記画像読取部に配設されている画像読取手段が、前記傾斜面部の上方に配置されていることを特徴とする。
【００１５】
請求項８記載の発明は、請求項１ないし７の何れか一つに記載の画像形成装置において、前記画像読取部には、原稿を載置する原稿台が前記装置本体の前面側に配置されており、前記原稿台の前端部は、前記画像形成部における前記装置本体の前面よりも該装置本体の後方に形成されており、前記原稿台の前端部と前記画像形成部における前記装置本体の上面との間であって、前記位置決め案内手段の形成部よりも前記装置本体の前面寄りの前記画像形成部における前記装置本体の上面には、前記フランジ部材装着済みのシートロールの該各フランジ部材を一時的に載置する一時載置部が形成されていることを特徴とする。
【発明の効果】
【００１６】
本発明によれば、前記課題を解決して新規な画像形成装置を実現し提供することができる。請求項ごとの効果を挙げれば次のとおりである。
請求項１、２記載の発明によれば、前記構成により、画像読取部を退避させることなく、画像読取部の下方かつ装置本体の後方に配置したシートロール支持部にシートロールをセットすることが可能となる。これにより、設置スペースの省スペース・狭小化、視認性に優れたシートロールのセット作業、操作性の向上および部品点数減によるマシン価格低減が達成できる。
【００１７】
請求項３、４記載の発明によれば、前記構成により、位置決め案内手段（例えば位置決め案内部材ないし位置決め案内部）を専用に具備せずに、例えば樹脂などで成形された他の部品に位置決め案内形状を持たせることで、請求項１、２記載の発明と同様の効果を得ることができる。よって部品間で積み上がる公差もなく、より高い位置精度でフランジ部材装着済みのシートロールをシートロール支持部へ案内することが可能となる。
【００１８】
請求項５記載の発明によれば、前記構成により、請求項３、４記載の発明の効果に加え、位置決め案内形状を外装部品に持たせることにより、デザイン性を損なうことなく、シートロールのセット性を向上することが可能となる。また、一般的に着脱・取り外し性が良好な外装部品に位置決め案内形状を持たせることで、位置決め案内形状が破損した際のマシン復帰（例えば修理など）が容易になる。
【００１９】
請求項６記載の発明によれば、前記構成により、請求項１ないし５の何れか一つに記載の発明の効果に加え、片側基準の画像形成装置においても、シートロールのセット作業、操作性の向上が図れる。
【００２０】
請求項７記載の発明によれば、前記構成により、画像読取部が画像形成部のキャリッジよりも装置本体の後方に配置され、かつ、画像読取部に配設されている画像読取手段が位置決め案内手段の形成された傾斜面部の上方に配置されていることにより、請求項１ないし６の何れか一つに記載の発明の効果に加え、フランジ部材装着済みのシートロールを、画像読取部の原稿台と近い高さで開口部から挿通させて転がし、シートロール支持部に向かうにつれて下方に傾斜した傾斜面部で位置決め規制・案内しながら下方のシートロール支持部にセットすることができるので、視認性に優れたシートロールのセット作業、操作性がさらに向上する。
【００２１】
請求項８記載の発明によれば、前記構成により、原稿台の前端部と画像形成部における装置本体の上面との間であって、位置決め案内手段の形成部よりも装置本体の前面寄りの画像形成部における装置本体の上面には、フランジ部材装着済みのシートロールの各フランジ部材を一時的に載置する一時載置部が形成されていることにより、請求項１ないし７の何れか一つに記載の発明の効果に加え、フランジ部材装着済みのシートロールを開口部に挿通する前に、一時載置部に一時的に載置してから、開口部の上下に形成された位置決め案内手段を経由させて装置本体の後方に転がすことで、シートロール支持部にセットすることができるので、視認性に優れたシートロールのセット作業、操作性がさらに向上する。
【図面の簡単な説明】
【００２２】
【図１】第１の実施形態を示すインクジェット記録装置全体の外観斜視図である。
【図２】図１の簡略的な側面図である。
【図３】（ａ）、（ｂ）は、フランジタイプのロール紙セット手順を説明する図である。
【図４】第１の実施形態における位置決め案内手段およびロール紙のセット動作を説明する簡略的な側面図である。
【図５】図４における位置決め案内手段およびロール紙の挿入軌跡を説明する要部の簡略的な側面図である。
【図６】（ａ）〜（ｅ）は、第１の実施形態における位置決め案内手段の嵌合例を示す断面図である。
【図７】（ａ）〜（ｄ）は、第１の実施形態における図６とは別の位置決め案内手段の嵌合例を示す断面図である。
【図８】変形例１におけるフランジタイプの用紙サイズ毎形態および規制位置を説明する図である。
【図９】（ａ）〜（ｃ）は、変形例２におけるスプールタイプのロール紙セット手順を説明する図である。
【図１０】変形例２におけるスプールタイプの用紙サイズ毎形態および規制位置を説明する図である。
【図１１】変形例３の特徴部分を説明する簡略的な側面図である。
【図１２】変形例４のインクジェット記録装置全体の外観斜視図である。
【発明を実施するための形態】
【００２３】
以下、図を参照して実施例を含む本発明の実施形態を詳細に説明する。各実施形態等に亘り、同一の機能および形状等を有する構成要素（部材や構成部品）等については、混同の虞がない限り一度説明した後では同一符号を付すことによりその説明を省略する。図および説明の簡明化を図るため、図に表されるべき構成要素であっても、その図において特別に説明する必要がない構成要素は適宜断わりなく省略することがある。
【００２４】
（第１の実施形態）
図１〜図７を参照して、本発明の第１の実施形態を説明する。まず、図１および図２を参照して、本発明に係る画像形成装置としてのインクジェット記録装置の一例について、その全体構成とともに要部の動作を説明する。図１は、インクジェット記録装置の全体構成を示す外観斜視図、図２は、同装置の概略的な側面図である。
【００２５】
図１および図２に示すインクジェット記録装置は、シリアル型インクジェット記録装置である。両図において、上下方向Ｚに直交する前後方向Ｘにおいて、両図における装置本体１の左側が前面（正面）側であり、右側が後（奥）側である。上下方向Ｚおよび前後方向Ｘに直交する方向が主走査方向Ｙ（図１参照）であり、シート幅方向に相当する。
【００２６】
装置本体１の内部には、画像形成部３、ロール紙収容部８、画像形成部３の下方に配置された用紙吸引搬送部９などが配置されている。装置本体１の上部には、画像読取装置である画像読取部２が配置されている。装置本体１の前面側であって、画像読取部２と画像形成部３との間には、ロール紙収容部８にロール紙４を供給すべく挿入するための開口部７が形成されている。
【００２７】
画像読取部２は、原稿（図示せず）の画像を読み取る機能・構成を有する。画像読取部２は、装置本体１の前面から後側に向けて画像読取位置へ原稿を搬送すべく原稿（図示せず）をセットする原稿台１１と、画像読取位置へ原稿を搬送する原稿搬送手段としての原稿給送ローラ１２と、画像読取位置に配置され原稿の画像を読み取る画像読取手段としての密着イメージセンサ１４と、画像読み取り終了後の原稿を排出する原稿排出手段としての原稿排出ローラ１５と、排出された原稿を積載する図示しない原稿排出台とを有する。
【００２８】
原稿台１１上に載置された原稿（図示せず）は原稿給送ローラ１２により１枚ずつ原稿搬送路１３に給送される。原稿給送ローラ１２により給送されてきた原稿（図示せず）は原稿搬送路１３の画像読取位置に配置された密着イメージセンサ１４によりその画像が読み取られ、この画像の読み取り終了後に、原稿排出ローラ１５により上記図示しない原稿排出台に排出される。
密着イメージセンサ１４は、全体として主走査方向Ｙ（図１参照、以下、「シート幅方向Ｙ」ともいう）に長い形状をしており、原稿を照明する光源およびイメージセンサを有している。密着イメージセンサ１４の上記光源で原稿搬送路１３において原稿を照明し、該原稿からの反射光をレンズアレイなどを通して上記イメージセンサ上に結像させて、光電変換を行うことにより画像信号を出力する。また、密着イメージセンサ１４の上方近傍に設けられ原稿搬送路１３を構成するコンタクトガラス（図示せず）に対向して、原稿を押圧する白色基準板を兼ねる圧板１７が設けられている。
【００２９】
画像形成部３は、搬送されてくるシート状記録媒体（以下、単に「シート」という）としての用紙１０に画像形成を行う機能・構成を有する。画像形成部３に対応した装置本体１の内部には、図１に示すように、ガイドロッド１８およびガイドレール１９が図示しない側板に掛け渡され、これらのガイドロッド１８およびガイドレール１９にキャリッジ２０が主走査方向Ｙに摺動可能に保持されている。
【００３０】
キャリッジ２０には、ブラック（Ｋ）、イエロー（Ｙ）、マゼンタ（Ｍ）、シアン（Ｃ）の各色のインク滴を吐出する液体吐出ヘッドである液体記録ヘッド（図示せず）が搭載されている。各液体記録ヘッドには、図示しないが、各液体記録ヘッドにインクを供給するサブタンクが一体的に備えられている。各液体記録ヘッドからの液滴の吐出方向は、装置本体１における下方向としている。
【００３１】
キャリッジ２０を主走査方向Ｙに移動走査する主走査機構は、主走査方向Ｙの一方側（図において左斜め上方）に配置された駆動モータ２１と、この駆動モータ２１の出力軸に連結され駆動モータ２１によって回転駆動される駆動プーリ２２と、主走査方向Ｙの他方側（図において右斜め下方）に配置された従動プーリ２３と、駆動プーリ２２と従動プーリ２３との間に巻き掛けられたベルト部材２４とを備えている。従動プーリ２３は、図示しないテンションスプリングによって外方、すなわち駆動プーリ２２から離れる方向にテンションが掛けられている。ベルト部材２４は、キャリッジ２０の背面側に設けられたベルト固定部にその一部分が固定保持されていることで、キャリッジ２０を主走査方向Ｙに牽引するようになっている。
【００３２】
キャリッジ２０の主走査方向Ｙに沿ってキャリッジ２０の主走査位置を検知するためのエンコーダシート（図示せず）が配置され、キャリッジ２０に設けられたエンコーダセンサ（図示せず）によって、上記エンコーダシートが読み取られる。このキャリッジ２０における主走査領域のうち、記録領域ではロール紙収容部８に収納・セットされたロール紙４から後述するように繰り出され搬送されてきた用紙１０が、キャリッジ２０の移動方向である主走査方向Ｙと直交する副走査方向（図１の前後方向Ｘのうちの前方向Ｘａである）に間欠的に搬送される。
【００３３】
また、主走査領域のうちの一方の端部側領域（図１において右斜め下方側）には、キャリッジ２０内の各液体記録ヘッドの維持回復を行う維持回復機構２５が配置されている。さらに、主走査方向Ｙのキャリッジ移動領域外または上記主走査領域のうちの他方の端部側領域には、各液体記録ヘッドのサブタンクに供給する各色のインクを収容したメインカートリッジ２６が装置本体１に対して着脱自在に装着される。
【００３４】
図１において、画像形成部３の図中矢印で示す出口前方には、用紙１０を所定の長さに切断するシート切断手段としてのカッタ２７が配置されている。このカッタ２７は、例えば、複数のプーリ（そのうちの１つのプーリは駆動モータに連結されている）間に掛け渡されたワイヤに固定され、駆動モータによりプーリを介してワイヤが主走査方向Ｙに移動することで用紙を所定の長さに切断する公知のものからなる。
【００３５】
本実施形態では、ロール紙給紙方式としてフランジタイプを採用している。なお、本発明は、フランジタイプに限らず、後述するスプールタイプも採用可能である。
ロール紙収容部８には、長尺の用紙（シート）が巻回されてなるシートロールとしてのロール紙４から用紙１０を繰り出し可能に支持するシートロール支持部としてのフランジ受け台５が配置されている。
【００３６】
図１および図２に示すように、フランジ受け台５にはフランジ部材（以下、単に「フランジ」ともいう）６を介してロール紙４がセットされているが、幅方向のサイズや紙種（シート種類）が異なるロール紙をセット可能である。幅方向のサイズとしては、後述する図８および図１０に例示するサイズや、例えばＡ０やその他様々なサイズが、紙種としては光沢紙や普通紙等も用いられる。
【００３７】
図３に示すように、ロール紙４は、通常、厚紙などを材料として構成された芯管としての紙管４ａの外周面に、長尺の用紙が巻き付けられて形成されている。なお、図３を始めとして後述する図８、図９等を含め、図の簡明化を図るため、ロール紙４部分を省略して紙管４ａを誇張して図示し、これにロール紙の符号「４」を付する場合のあることを付記しておく。
【００３８】
図３を参照して、ロール紙４の両端部にフランジ６を装着・セットする手順を説明する。フランジタイプは、図３（ａ）に示すように、紙管４ａを芯に持つロール紙４の両端部にフランジ６を挿入・装着し、図３（ｂ）に示すようにロール紙４に対してフランジセット完了状態にしてから、シートロール支持部としてのフランジ受け台５にセットする方式である。このとき、重要なのは各フランジ６をロール紙４に対して真っ直ぐ、かつ、端部に突き当たるまで挿入することである。
紙管４ａのサイズには、例えば２インチと３インチとがあり、サイズ毎に専用のフランジを用意してセットする場合と、挿入する先端の小径部の外径を可変としたサイズ切替フランジを用意してセットする場合とがある。
【００３９】
ロール紙４がフランジ６を介してフランジ受け台５に載置・セットされた際には、フランジ受け台５の内部に設けられた図示しない支持コロがフランジ６の外周と当接することによって回転可能に、すなわちロール紙４からの用紙が繰り出し可能となり、用紙１０が給送される。この際、ロール紙４の回転中心位置の芯出しが自動的に行われることとなる。
【００４０】
上述した構成を有するインクジェット記録装置全体の動作を説明する。図１および図２において、図３を参照して説明したように、ロール紙４に対するフランジ６の装着・セット操作等によって、フランジ受け台５にはフランジ６を介してロール紙４がセットされ、図２に示す搬送ローラ３３からはロール紙４の用紙１０の先端がセットされているものとする。
【００４１】
ユーザによって、画像読取部２の原稿台１１に画像形成すべき原稿（図示せず）がセットされるとともに、画像読取部２近傍の装置本体１に配設された図示しない操作部のキー操作などが行われることで、各種の画像形成条件、例えばカラー色の選択、画像形成枚数などが設定される。これらの信号がインクジェット記録装置の制御部（図示せず）に入力されると、インクジェット記録装置が作動する。すなわち、画像読取部２では上述した原稿画像の読み取りが行われて、密着イメージセンサ１４から画像信号が出力される。
【００４２】
そして、図示しないモータ等の駆動手段の起動により、搬送手段としての搬送ローラ３３が回転されることで、フランジ受け台５上に載置されたフランジ６が用紙繰り出し方向に回転し、ロール紙４から用紙１０が給送される。搬送ローラ３３から給送された用紙１０は、装置本体１の後方から前方に向けて、レジスト・搬送手段としてのレジストローラ（駆動ローラ）３４、レジスト加圧ローラ（従動ローラ）３５により、用紙（シート）搬送路を搬送されて画像形成部３のインクジェット記録領域へ搬送される。すると、図１および図２において、キャリッジ２０が主走査方向Ｙに移動し、用紙１０を間欠的に送りながら、液体記録ヘッドを画像情報に応じて駆動して液滴を吐出させることによって、用紙１０上に所要の画像が形成される。さらに、画像形成後の用紙１０は、カッタ２７が主走査方向Ｙに移動することにより、所定の長さにカットされ、装置正面側に配置される図示しない排紙トレイへ排出される。
画像情報（画像データ）としては、画像読取部２で読み取られる原稿画像によるものに限らず、画像形成装置（インクジェット記録装置）に通信可能に接続されたパソコン等のコンピュータから送信されるものであってよいことは無論である。
【００４３】
図１〜図７を参照して、本実施形態の特徴部分を説明する。
図１、図２および図４に示すように、本実施形態では、フランジ装着済みのロール紙４を装置本体１の前面側から挿入し、フランジ受け台５に挿通・セットするための開口部７が、画像読取部２と画像形成部３との間に形成されている。
【００４４】
図２、図４および図５に示すように、本実施形態では、開口部７における装置本体１の上下部分に、フランジ装着済みのロール紙４（以下、判別が可能な限り単に「ロール紙４」ともいう）における少なくとも一方のフランジ６をシート幅方向Ｙに位置決め・規制し、かつ、ロール紙４をシートロール支持部としてのフランジ受け台５に案内する位置決め案内手段を具備している。
【００４５】
具体的には、画像読取部２の下端部１ａ（開口部７付近における装置本体１の上部分に相当）および画像形成部３が収容されているプリンタ部の筐体上部１ｂ（開口部７付近における装置本体１の下部分に相当）とには、ロール紙４における少なくとも一方のフランジ６を案内する、上記位置決め案内手段を構成するガイド部３０ａ，３０ｂ，３０ｃ，３１ａ，３１ｂ，３１ｃが設けられている。
ガイド部３０ａ，３０ｂ，３０ｃ，３１ａ，３１ｂ，３１ｃは、図中実線で示されているとおり、ロール紙４のセット方向に連続して形成されている。
【００４６】
ガイド部３０ｂ，３１ｂは、図２、図４および図５等に示すように、画像読取部２の下端部１ａおよび画像形成部３の筐体上部１ｂにおける、装置本体１の正面（前面）から背面（後面）にかけて下方へ傾斜した傾斜面部に形成されている。従って、ガイド部３０ｂ，３１ｂが形成された上記傾斜面部を通過したロール紙４は、開口部７の入り口における画像読取部２の下端部１ａおよび画像形成部３の筐体上部１ｂに形成、すなわちガイド部入口に形成されたガイド部３０ａ，３１ａよりも下方に位置する領域、すなわちガイド部３０ｃ，３１ｃに位置することが可能になる。よって、図２において、ロール紙４の下部と画像形成部３とが図の左右方向に略同じ高さ位置を占めることで、ロール紙４の上端位置が下方に位置することになるので装置本体１の高さを抑えることができる。その結果、画像読取部２の原稿挿入位置の高さ（原稿台１１の上面高さ）を抑えることができ、原稿挿入の操作性を犠牲にすることはない。
【００４７】
ロール紙４を下方に位置させることができたのは、図２に示すように、画像読取部２を画像形成部３のキャリッジ２０よりも装置本体１の後方に配置し、密着イメージセンサ１４を上記傾斜面部のガイド部３０ｂ，３１ｂの上方に配置したことによる。従って、装置本体１の正面側の原稿台１１の下部には、原稿を搬送するための搬送手段がないことから、ロール紙４をガイドするために原稿台１１の下部を図２に示すように薄くすることができるため、ロール紙４の開口部７からの挿入を原稿台１１と近い高さ位置での挿入・セットが可能となる（請求項７参照）。
【００４８】
また、原稿台１１の前端部は、画像形成部３のプリンタ部本体前面よりも装置本体１の後方に形成されている。これにより、図４および図５に示すように、ユーザ３７がロール紙４を挿入するときに、ガイド部入口に形成されたガイド部３０ａ，３１ａよりも装置本体１の前面寄りに形成された一時載置部としてのプリンタ部前方上面３２に一時載置してからガイド部３０ａ，３１ａを経由させて、装置本体１の後方に転がすことでロール紙４をフランジ受け台５にセットすることができる（請求項８参照）。その際、プリンタ部前方上面３２は、ロール紙４を一時載置したときに、ロール紙４が前後方向に転がらないような適宜の形状または材質としてもよい。図４において、符号３６は、床面を示す。
【００４９】
また、本実施形態では、開口部７における装置本体１の上下部分に具備された位置決め案内手段が、図５に太矢印で示すロール紙４のセット方向に略連続して形成されている点、および画像読取部２の下端部１ａに形成された各ガイド部３０ａ，３０ｂ，３０ｃおよびプリンタ部の筐体上部１ｂに形成された各ガイド部３１ａ，３１ｂ，３１ｃの図５中破線で囲んで示す部分（フランジ・本体位置決め規制部）には、凸形状をなすフランジ６の外周と接触・係合する凹部２８，２９が形成されている点を特徴としている。
このように、フランジ６の凸形状と係合する凹部２８，２９とが、上下組みの各ガイド部３０ａ，３１ａ、３０ｂ，３１ｂ、３０ｃ、３１ｃにおける図５中破線の囲み部分に部分的に形成されていることにより、フランジ６を転がすときの案内しやすさが増すため、ユーザの操作性も向上する。
【００５０】
上述したとおり、位置決め案内手段は、各ガイド部３０ａ，３０ｂ，３０ｃ，３１ａ，３１ｂ，３１ｃと、凸形状をなすフランジ６の外周と接触・係合する凹部２８，２９とから構成されている。
【００５１】
図６を参照して、各ガイド部３０ａ，３０ｂ，３０ｃ，３１ａ，３１ｂ，３１ｃの形状と、凸形状をなすフランジ６の外周と接触・係合する装置本体１側の凹形状をなす凹部２８，２９との各種組み合わせ係合形状例（以下、「嵌合例」という）とについて説明する。図６（ａ）は、最も一般的な嵌合例の一つである。
【００５２】
図６（ｂ）は、凹部２８，２９側におけるシート幅方向Ｙの凹部幅を大きく形成するとともに、これに合わせてフランジ６側におけるシート幅方向Ｙのフランジ幅を大きく形成することでシート幅方向Ｙの位置決めを行い、かつ、フランジ６におけるシート幅方向Ｙの中央部に形成した凹部にヘリカルギヤ３８を設け駆動伝達を行う嵌合例である。同図において、３９は、装置本体１側に配設され、ヘリカルギヤ３８と噛み合うフランジ駆動ギヤを示す。このようなヘリカルギヤ（はすば歯車）の噛み合いでは、フランジ６に固着されたヘリカルギヤ３８に対してスラスト方向（シート幅方向Ｙ）に力が作用するが、凹部２８，２９形状とフランジ６の凸形状との嵌合によって、スラスト方向（シート幅方向Ｙ）への移動を規制することができる利点がある。
【００５３】
図６（ｃ）は、凹部２８，２９形状とフランジ６の凸形状とが同じ向きに段差状をなして嵌合する、見方を変えれば嵌め込む構成の嵌合例を示す。図６（ｄ）は、凹部２８，２９に形成された異なる向きの段差がフランジ６の凸形状と嵌合する嵌合例を示す。図６（ｅ）は、図６（ｄ）の変形例で、図６（ｄ）と比較してフランジ６の外周中央部に凸形状を形成した点のみ相違する。
【００５４】
図７を参照して、図６に示した嵌合例とは逆の関係、すなわち装置本体１側の下端部１ａおよび筐体上部１ｂが凸形状であるとき、フランジ６側外周が下端部１ａ、筐体上部１ｂの凸形状と接触・係合する凹形状、またはフランジ６自体を挟み込む形状である場合の嵌合例について説明する。
図７（ａ）は、下端部１ａの下方向、筐体上部１ｂ上方向にそれぞれ突出し、シート幅方向Ｙに形成された一対のリブ４０，４１が、フランジ６自体を挟み込む形状の嵌合例である。ここでは、上記各一対のリブ４０，４１も凸形状の一つとしてみなしている。なお、各リブ４０，４１の突出先端部におけるフランジ６の外周と接触する内側には、フランジ６を嵌入し易くする傾斜面（テーパー）が形成されている。
【００５５】
図７（ｂ）は、下端部１ａ、筐体上部１ｂに形成された凸形状４２，４３とフランジ６側に形成された凹形状との嵌合例である。図７（ｃ）は、図７（ｂ）の変形例で、図７（ｂ）と比較して、下端部１ａ、筐体上部１ｂ側の凸形状４２，４３がシート幅方向Ｙに２箇所形成されて嵌合する点のみ相違する。
図７（ｄ）は、図７（ａ）の変形例で、図７（ａ）と比較して、各一対のリブ４０，４１に代えて、各一対のリブ４４，４５でフランジ６自体を挟み込むように嵌合するとともに、一対のリブ４４間、一対のリブ４５間に形成された複数の各リブ４６，４７先端面でフランジ６の外周段差部の上下方向Ｚの位置決めを行う点のみ相違する。
【００５６】
図６（ａ）〜図６（ｅ）の嵌合例に限らず、装置本体１側に形成された凹部２８，２９が、フランジ６の外周自体を嵌め込むような嵌合例であってもよく、位置決めの要求精度、フランジ６をガイドする機能などとの関係で上記嵌合例以外に種々の嵌合例が想定されることは無論である。
同様に、図７（ａ）〜図７（ｄ）の嵌合例に限らず、位置決めの要求精度、フランジ６をガイドする機能などとの関係で上記嵌合例以外に種々の嵌合例が想定されることは無論である。
【００５７】
図６（ａ）〜図６（ｅ）、図７（ａ）〜図７（ｄ）の嵌合例において、位置決め案内手段（例えば位置決め案内部材ないし位置決め案内部）を専用に具備せずに、例えば樹脂などで成形された他の部品に位置決め案内形状を持たせ、下端部１ａ、筐体上部１ｂに取り付けることも可能である。このような位置決め案内手段の嵌合構成によれば、部品間で積み上がる公差も少なく、より高い位置精度でロール紙４をフランジ受け台５へ案内することが可能となる。
【００５８】
図６（ａ）〜図６（ｅ）、図７（ａ）〜図７（ｄ）の嵌合例におけるシート幅方向Ｙの隙間（クリアランス）や上下方向Ｚの隙間の設定をどの程度の寸法にするかは、位置決めの要求精度に応じて適宜行う設計事項に属するが、例えば、開口部７近傍のガイド部３０ａ，３１ａの嵌合のクリアランス・形状についてはフランジ６の案内機能が主である点から大きく設定し、フランジ受け台５（シートロール支持部）５に近づくにしたがって、特にシート幅方向Ｙの位置決め・規制機能が主となる点から漸次小さく設定することなどが考えられる。
【００５９】
次に、図４および図５を参照して、ロール紙４を開口部７に挿入してからフランジ受け台５にセットするまでのユーザ３７による操作を含む動作を簡単に説明する。図４に示すように、ユーザ３７はロール紙４を開口部７に挿入するときに、プリンタ部前方上面３２にフランジ６部分を、適宜一時載置する。その後、ロール紙４における少なくとも一方のフランジ６を、各ガイド部３０ａ，３１ａ、３０ｂ，３１ｂ、３０ｃ，３１ｃおよびその嵌合部を経由させて装置本体１の後方に転がすことで、少なくとも一方のフランジ６が位置決め・規制されるので、図５に示すようにロール紙４を装置本体１奥側のフランジ受け台５に位置決めしてセットすることができる。なお、図５において、符号４８は、フランジ受け台５に配設されロール紙４のフランジ６を載置させてロール紙４から用紙を繰り出すための支持コロを示す。
【００６０】
このように、本実施形態では、ユーザ３７にとって画像読取部２が死角にあっても、シートロール支持部としてのフランジ受け台５に正確に位置決めしながらセットすることが可能である。
本実施形態によれば、上記した構成および動作により、上記発明の効果の欄に記載した効果を奏することは無論である。
【００６１】
（変形例１）
図８を参照して、図１〜図７に示した第１の実施形態の変形例１を説明する。変形例１は、第１の実施形態と比較して、インクジェット記録装置がシート幅方向の用紙（シート）サイズに応じて、ロール紙４から繰り出される用紙の搬送が片側基準（端部基準）で搬送されるように構成されている点、フランジ装着済みのロール紙４における一方のフランジ６ａ（以下、「基準側フランジ６ａ」という）は、上記位置決め案内手段によってシート幅方向Ｙに位置が不変な基準位置に位置決めされる点が主に相違する。変形例１は、前記相違点以外は第１の実施形態と同様である。
【００６２】
図８に、フランジタイプにおける、用紙の搬送基準が片側基準である場合の、用紙サイズ毎の形態と位置決め・規制位置の一例を示す。図示したように、例えば、ロール紙４の用紙サイズが３種類のサイズに異なっていても、用紙の搬送基準が片側基準であれば基準側フランジ６ａのシート幅方向Ｙの位置は変わらない。従って、シート幅方向Ｙの位置が不変の基準側フランジ６ａおよびこれと対応した装置本体１側に、上記位置決め案内手段を設けることで、ロール紙４のセット性を改善することが可能である。
【００６３】
基準側フランジ６ａと反対側の非基準側フランジ６ｂは、ロール紙４の用紙サイズに応じてシート幅方向Ｙに移動可能で位置が異なるため、画像読取部２や画像形成部３側の装置本体１（第１の実施形態では下端部１ａ、筐体上部１ｂに相当）に、シート幅方向Ｙに位置固定の上記位置決め案内手段を設けることができない。なお、フランジタイプにおいては、基準側フランジ６ａがセットされるフランジ受け台は、シート幅方向Ｙに位置が固定されており、非基準側フランジ６ｂがセットされるフランジ受け台は、ロール紙４の用紙サイズに応じてシート幅方向Ｙにスライド・移動可能に構成されている。
本変形例によれば、第１の実施形態と同様の効果を奏する他、片側基準のインクジェット記録装置においても、ロール紙４のセット作業、操作性の向上が図れる。
【００６４】
（変形例２）
図９および図１０を参照して、図８に示した変形例１の変形例２を説明する。変形例２は、変形例１のフランジタイプに代えて、スプールタイプを用いる点が主に相違する。変形例２は、前記相違点以外は変形例１と同様である。
まず、図９を参照して、スプールタイプのロール紙セット手順を説明する。スプールタイプは、図９（ａ）に示すように、紙管４ａを芯に持つロール紙４の紙管４ａの一端部側から、スプールフランジ５５ａを固着されたスプール軸５４を挿入した後（図９（ｂ）参照）、図９（ｃ）に示すようにスプールフランジ５５ａ、反対側のスプールフランジ５５ｂを紙管４ａの両端部に挿入してフランジセット完了状態にしてから、シートロール支持部（図示せず）にセットする方式である。スプールタイプは、フランジタイプと比べ、最初にスプール軸５４を挿す手順が追加されるため、ロール紙４交換の手順は増える傾向にある。
【００６５】
図１０に、スプールタイプにおける、用紙の搬送基準が片側基準（端部基準）である場合の、用紙サイズ毎の形態と位置決め・規制位置の一例を示す。図示したように、例えば、ロール紙４の用紙サイズが３種類のサイズに異なっていても、用紙の搬送基準が片側基準であれば基準側スプールフランジ５５ａのシート幅方向Ｙの位置は変わらない。従って、シート幅方向Ｙの位置が不変の基準側スプールフランジ５５ａおよびこれと対応した装置本体１側に上記位置決め案内手段を設けることで、ロール紙４のセット性を改善することが可能となる。
【００６６】
スプール軸５４は、インクジェット記録装置で使用される最大用紙サイズ幅（最大通紙幅）より長く、その両端部を、装置本体１側に設けられるシートロール支持部としての図１０中破線で示す切欠部５６に落とし込むことで、ロール紙４がセットされる。スプール軸５４とこれに固着される基準側スプールフランジ５５ａとの位置関係を固定することで、マシンに対するロール紙４軸方向の位置決めが可能である。
【００６７】
基準側スプールフランジ５５ａと反対側の非基準側スプールフランジ５５ｂは、ロール紙４の用紙サイズに応じてスプール軸５４を介してシート幅方向Ｙに移動可能で位置が異なるため、画像読取部２や画像形成部３側の装置本体１（第１の実施形態では下端部１ａ、筐体上部１ｂに相当）に、シート幅方向Ｙに位置固定の上記位置決め案内手段を設けることはできない。また、フランジタイプと大きく異なる点は、用紙サイズが異なっても、スプール軸５４の両端部を受ける位置（通常、この位置に上記切欠部が配置される）は不変である点である。
本変形例によれば、第１の実施形態と同様の効果を奏する他、片側基準のインクジェット記録装置においても、ロール紙４のセット作業、操作性の向上が図れる。
【００６８】
（変形例３）
図１１を参照して、第１の実施形態の変形例３を説明する。変形例３は、第１の実施形態と比較して、装置本体１に着脱可能な外装部品としての読取部カバー５７に各ガイド部３０ａ，３０ｂ，３０ｃおよび嵌合形状としての凹部２８を設けた点、装置本体１に着脱可能な外装部品としての印字部上カバー５８に各ガイド部３１ａ，３１ｂ，３１ｃおよび嵌合形状としての凹部２９を設けた点が主に相違する。変形例３は、前記相違点以外は第１の実施形態と同様である。
もちろん、上下の読取部カバーおよび印字部上カバーが一体の外装部品で形成されている場合は、その一体カバーに上記位置決め案内手段（各ガイド部および位置決め・規制形状）を具備することも考えられる。
【００６９】
（変形例４）
図１２を参照して、第１の実施形態の変形例４を説明する。図１に示した第１の実施形態のインクジェット記録装置では、画像読取部２と、画像形成部３を含んだプリンタ本体とが一体の構成を説明したが、この構成に限られるものではない。例えば、図１２に示すように、画像読取部２をスタンド１００上に載置し、スタンド１００の内側にプリンタ本体を収容する形態でもよい。変形例４は、前記相違点以外は第１の実施形態と同様である。
【００７０】
スタンド１００は、床面３６と接触し装置本体１の後方から前方へ延設する脚部１００ａと、脚部１００ａから上方に起立する起立部１００ｂと、起立部１００ｂから前方へ延設し、画像読取部２を載置する載置面を有する載置部１００ｃとで構成されている。
ロール紙（図示せず）を装置本体１の正面（前面）から背面側にセット可能なプリンタ本体には、後方にロール紙をガイドするガイド部３０ｃ（図２に示す第１の実施形態のガイド部３０ｃと同じ）が設けられているが、画像形成部３の上方にはロール紙をガイドするガイド部に相当する部材はない。
そこで、本変形例では、プリンタ本体のガイド部３０ｃへロール紙をガイドできるように載置部１００ｃにガイド部１０１ａ，１０１ｂ（図２に示す第１の実施形態のガイド部３０ａ，３０ｂに相当する）を設けたことを特徴としている。そして、本変形例においても、図６や図７に示したような嵌合例を適用可能としたものである。
【００７１】
上記構成により、スタンドタイプの複合機などにおいても、ロール紙を正面から背面方向へセットすることが容易になる。なお、プリンタ本体の正面側上面は、プリンタとして使用することを想定しているため、フランジ６の下面をガイドする形状がないことがある。その場合、図６や図７に示したような嵌合例におけるフランジ６の下端をガイドするガイド部材をプリンタ上面に覆い被せて固定すれば、フランジ６の上下を位置決め・規制しながらシートロール支持部（図２に示す第１の実施形態ではフランジ受け台５）へ案内することが可能である。
【００７２】
以上説明したとおり、本発明を特定の実施形態や変形例等について説明したが、本発明が開示する技術的範囲は、上述した実施形態や変形例等に例示されているものに限定されるものではなく、それらを適宜組み合わせて構成してもよく、本発明の範囲内において、その必要性および用途等に応じて種々の実施形態や変形例あるいは実施例を構成し得ることは当業者ならば明らかである。
例えば、図１に示した画像読取部２、画像形成部３、装置本体１のフランジ受け台５、これらの構成部品や部材は、上述したものに限らず、それらと均等な全ての公知のものに置き換えてもよい。一例を挙げると、画像形成部３は、シリアル型インクジェット記録装置に限定されず、ライン型インクジェット記録装置や電子写真方式による画像形成装置等またはそれら複数の機能を組み合わせた装置でもよい。
図１に示したインクジェット記録装置に限らず、画像読取部２に加えて、装置本体１の上部の正面側に操作部としての操作パネルを設けた画像形成装置であってもよい。また、画像読取部２が配設されていない、例えば専らコンピュータ等の外部入力データやコンパクトディスク等の各種記憶媒体に記録されているデータに基づいて画像形成を行う画像形成装置であってもよい。
【符号の説明】
【００７３】
１    装置本体
２    画像読取部
３    画像形成部
４    ロール紙（シートロール）
５    フランジ受け台（シートロール支持部）
６    フランジ（フランジ部材）
７      開口部
８      ロール紙収容部
１０    用紙（シート）
１１    原稿台（原稿載置台）
１４    密着イメージセンサ（画像読取手段）
２０    キャリッジ
２８，２９    凹部（位置決め案内手段を構成）
３０ａ，３０ｂ，３０ｃ    ガイド部（位置決め案内手段を構成）
３１ａ，３１ｂ，３１ｃ    ガイド部（位置決め案内手段を構成）
３２    プリンタ部前方上面（一時載置部）
３６    床面
３７    ユーザ
１００  スタンド
Ｘ      前後方向、副走査方向
Ｙ      主走査方向、シート幅方向
Ｚ      上下方向
【先行技術文献】
【特許文献】
【００７４】
【特許文献１】特開２００７−２６１０８６号公報
【特許文献２】特開２００７−２６１７５４号公報
【図１】
0005447000.tif 000002
【図２】
0005447000.tif 000003
【図３】
0005447000.tif 000004
【図４】
0005447000.tif 000005
【図５】
0005447000.tif 000006
【図６】
0005447000.tif 000007
【図７】
0005447000.tif 000008
【図８】
0005447000.tif 000009
【図９】
0005447000.tif 000010
【図１０】
0005447000.tif 000011
【図１１】
0005447000.tif 000012
【図１２】
0005447000.tif 000013